(57)【要約】【課題】  電子写真方式の画像形成装置を提供する。【解決手段】    給紙カセットから用紙を引き出すピックアップローラと現像器とが感光ドラムの上方に設置され，用紙移送経路はピックアップローラから下方に延びて形成され，露光器と用紙移送経路とは，現像器を挟んで外装を形成するハウジングの背面側と前面側とにそれぞれ設置され，現像器は，トナー収容部と現像ローラとを含み，トナー収容部はその下側の先端部から上方に延びて形成され，その鉛直方向の長さが水平方向の長さより長いことを特徴とする。【選択図】    図２
2005148718.tif 000002
【特許請求の範囲】
【請求項１】
用紙に画像を印刷する印刷ユニットと；
前記印刷ユニットがその内部に収容されるハウジングとを含む電子写真方式の画像形成装置であって，
前記印刷ユニットは，
感光ドラムと；
前記感光ドラムに，画像情報に応じて光を走査して静電潜像を形成させる露光器と；
前記感光ドラムの上方に設置されて，前記静電潜像にトナーを供給して現像させる現像器と；
前記感光ドラムの上方に設置されて，給紙カセットから用紙を引き出すピックアップローラと；
前記ピックアップローラから下方に延びて前記ハウジングに設けられた排出口まで用紙を移送する用紙移送経路と；
を含み，
前記用紙移送経路と前記露光器とは，前記現像器を挟んでそれぞれ前記ハウジングの背面側と前面側とに設置されることを特徴とする，電子写真方式の画像形成装置。
【請求項２】
前記現像器は，
トナーが収容されるトナー収容部と；
前記トナー収容部の先端に設置されて前記静電潜像にトナーを供給し，トナー画像を形成させる現像ローラと；
を含み，
前記トナー収容部は，前記先端から鉛直上方向に対して±４５゜範囲以内に形成され，前記トナー収容部の鉛直方向の長さが前記トナー収容部の水平方向の幅より大きいことを特徴とする，請求項１に記載の電子写真方式の画像形成装置。
【請求項３】
前記現像ローラは，前記感光ドラムの中心から鉛直方向に対して±４５゜範囲内に設置されることを特徴とする，請求項１または２のいずれかに記載の電子写真方式の画像形成装置。
【請求項４】
前記ピックアップローラは，前記感光ドラムの中心から鉛直方向に対して±４５゜範囲内に設置されることを特徴とする，請求項１，２または３のいずれかに記載の電子写真方式の画像形成装置。
【請求項５】
前記現像器を交換するために前記ハウジングの前面に開閉可能に設置されるドアをさらに含むことを特徴とする，請求項１，２，３または４のいずれかに記載の電子写真方式の画像形成装置。
【請求項６】
前記露光器は，前記ドアに設置されることを特徴とする，請求項５に記載の電子写真方式の画像形成装置。
【請求項７】
前記ハウジングの下面が設置面から離隔されるように前記ハウジングを支持する支持台をさらに含むことを特徴とする，請求項１，２，３，４，５または６のいずれかに記載の電子写真方式の画像形成装置。
【請求項８】
前記支持台は，前記ハウジングを回動可能に支持することを特徴とする，請求項７に記載の電子写真方式の画像形成装置。
【請求項９】
前記排出口は，前記ハウジングの下面に設けられることを特徴とする，請求項１，２，３，４，５，６，７または８のいずれかに記載の電子写真方式の画像形成装置
【請求項１０】
前記排出口は，前記ハウジングの前面に設けられることを特徴とする，請求項１，２，３，４，５，６，７または８のいずれかに記載の電子写真方式の画像形成装置。
【請求項１１】
下面と；
前記下面から所定の角度を有して上方に延びた側面と；
前記下面から延長され，前記側面の開放された部分を連結して覆う上面と；
を備えるハウジングと；
前記上面に形成される供給口と；
前記下面と前記側面とのうち少なくとも何れか一面に形成される排出口と；
前記供給口から前記排出口に用紙を移送させる複数のローラと；
前記側面に平行した線上にその中心が置かれる感光ドラムと；
トナー収容部と；
を備え，
前記トナー収容部に収容されたトナーを前記感光ドラムに形成された静電潜像を現像させるために前記側面に平行した線に平行した方向に供給する現像器と；
前記現像器と前記側面との間に位置して前記感光ドラムに前記静電潜像を形成させる露光器と；
を含むことを特徴とする，電子写真方式の画像形成装置。
【発明の詳細な説明】
【技術分野】
【０００１】
本発明は，電子写真方式の画像形成装置に関する。
【背景技術】
【０００２】
一般的に電子写真方式の画像形成装置とは，感光体に光を走査して所望のイメージに該当する静電潜像を形成し，静電潜像にトナーを供給してトナー画像を形成した後，このトナー画像を記録媒体に転写して定着させることによって画像を印刷する装置をいう。
【０００３】
図１は，従来の電子写真方式の画像形成装置を簡略に示した構成図である。
【０００４】
図１を参照すれば，用紙移送経路１を基準としてその上方に感光ドラム２，現像器３，露光器４が設置され，その下方に転写ローラ５，給紙カセット８が設置される。露光器４は，感光ドラム２に光を走査して静電潜像を形成させるものであって，感光ドラム２の上方に設置される。現像器３は，トナーが収容されたトナー収容部６を含み，トナー収容部６の先端部には現像ローラ７が設置される。トナーは，現像ローラ７によって静電潜像に供給され，感光ドラム２にはトナー画像が形成される。感光ドラム２と転写ローラ５とが対面した転写ニップでトナー画像は，給紙カセット８から供給される用紙Ｓに転写される。定着器９は，トナー画像に熱と圧力とを加えて用紙Ｓに定着させる。
【０００５】
図１を参照すれば，トナー収容部６は，現像ローラ７が位置した先端部から横方向に延びた形態である。最近，画像形成装置の高速化につれて現像器３の寿命を伸ばすためにトナー収容部６の容積を増加させる傾向がある。画像形成装置が全体的にスリムな形態を維持しつつトナー収容部６の容積を増加させるためには，トナー収容部６を横方向に延長するしかない。このようにトナー収容部６の容積を増加させれば，画像形成装置の設置面積（ｆｏｏｔ−ｐｒｉｎｔ）が大きくなる。画像形成装置が主に事務室内で使われるという点を勘案すれば設置面積は小さいほど有利である。また，トナー収容部６の先端部から遠い位置１０にあるトナーは，図１に示されたようにアジテーター１１を設置しても，現像ローラ７まで移送させるのが難しい。したがって，トナー収容部６に収容されたトナーの全部が画像形成に使用できないのでトナー活用率が低下する。
【０００６】
【特許文献１】特開平０４−３３３０６３号公報
【特許文献２】特開２００２−１８２５３９号公報
【特許文献３】特開２０００−０９８７５８号公報
【特許文献４】特開２００３−００１９０２号公報
【特許文献５】特開平０８−２６２８２７号公報
【特許文献６】特開平１１−０１５２２７号公報
【特許文献７】特開平０３−０９２８６９号公報
【特許文献８】特開昭６２−２３４１７０号公報
【特許文献９】特開昭６２−２３４１６７号公報
【特許文献１０】大韓民国特許第１９９３−０１０６３５号明細書
【発明の開示】
【発明が解決しようとする課題】
【０００７】
そこで，本発明は，このような問題に鑑みてなされたもので，その目的とするところは，その設置面積を最小化し，高いトナー活用率を有する改善された電子写真方式の画像形成装置を提供することを目的とする。
【課題を解決するための手段】
【０００８】
上記課題を解決するために，本発明のある観点によれば，電子写真方式の画像形成装置は，用紙に画像を印刷する印刷ユニットと，印刷ユニットがその内部に収容されるハウジングとを含む電子写真方式の画像形成装置であって，印刷ユニットは，感光ドラムと，感光ドラムに，画像情報に応じて光を走査して静電潜像を形成させる露光器と，感光ドラムの上方に設置されて，静電潜像にトナーを供給して現像させる現像器と，感光ドラムの上方に設置されて給紙カセットから用紙を引き出すピックアップローラから下方に延びてハウジングに設けられた排出口まで用紙を案内する用紙移送経路と，を含み，用紙移送経路と露光器とは，現像器を挟んでそれぞれハウジングの背面側と前面側とに設置されることを特徴とする。
【０００９】
上記現像器は，トナーが収容されるトナー収容部と，トナー収容部の先端に設置されて上記静電潜像にトナーを供給するトナー画像を形成させる現像ローラとを含み，トナー収容部は先端から鉛直上方向に対して±４５゜範囲以内に形成され，トナー収容部の鉛直方向の長さがトナー収容部の水平方向の幅より大きくてもよい。また，トナーが先端から鉛直上方向に対して±４５゜範囲以内に形成されてもよい。
【００１０】
上記現像ローラは，上記感光ドラムの中心から鉛直方向に対して±４５゜範囲内に設置されてもよい。
【００１１】
また，上記ピックアップローラは，上記感光ドラムの中心から鉛直方向に対して±４５゜範囲内に設置されてもよい。
【００１２】
上記現像器を交換するために上記ハウジングの前面に開閉可能に設置されるドアが，さらに含まれてもよい。
【００１３】
上記露光器は，上記ドアに設置されてもよい。
【００１４】
上記ハウジングの下面が設置面から離隔されるように，上記ハウジングを支持する支持台をさらに含むことができる。
【００１５】
上記支持台は，上記ハウジングを回動可能に支持することができる。
【００１６】
上記排出口は，上記ハウジングの下面に設けられてもよい。
【００１７】
上記排出口は，上記ハウジングの前面に設けられてもよい。
【００１８】
上記トナー収容部は，鉛直上方向に±４５°範囲内で傾いて形成されてもよい。
【００１９】
上記電子写真方式の画像形成装置は，下面と，下面から所定の角度を有して上方に延びた側面と，下面から延長された側面の開放された部分を連結して覆う上面とを備えるハウジングと，上面に形成される供給口と，下面と側面とのうち少なくとも何れか一面に形成される排出口と，供給口から排出口に用紙を移送させる複数のローラと，側面に平行した線上にその中心が置かれる感光ドラムと，トナー収容部とを備え，側面に平行した線上にその中心が置かれる感光ドラムと，トナー収容部とを備え，トナー収容部に収容されたトナーを感光ドラムに形成された静電潜像を現像させるために側面に平行した線に平行した方向に供給する現像器と，現像器と側面との間に位置して感光ドラムに静電潜像を形成させる露光器とを含むことができる。
【発明の効果】
【００２０】
以上説明したように本発明によれば，その構成要素の配置位置を適切に調節することによって電子写真方式の画像形成装置の設置面積を減らし，トナー利用効率を向上させる一方，トナー収容部から現像ローラへの安定したトナーの供給を可能にする。
【発明を実施するための最良の形態】
【００２１】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００２２】
以下，添付した図面に基づき，本発明の実施形態を詳細に説明する。
【００２３】
図２は，本発明に係る電子写真方式の画像形成装置の第一実施形態を示した側断面図である。図２を参照すれば，ハウジング１００内に感光ドラム２１０，現像器２２０，露光器２３０，転写ローラ２４０，定着器２５０を含む印刷ユニット２００が収容されている。ハウジング１００は，外装を形成するものであって，下面１０２と，下面１０２から所定の傾斜角度で延びた前面１０１，背面１０３，左右側面(図６の１０４，１０５)を含む側面と，下面１０２から延長された側面の開放された部分を連結して覆う上面１０６とを備える。ハウジング１００の下面１０２および/または前面１０１には，用紙Ｓが排出される排出口１１０，排出口１２０が設けられる。ハウジング１００の上面１０６には，用紙Ｓを供給するための供給口１４０が設置される。供給口１４０には，カセット２８０が設置される。
【００２４】
感光ドラム２１０は，金属製ドラムの外周に光導電性物質層が形成されたものである。露光器２３０は，均一な電位を有するように帯電された感光ドラム２１０に画像情報に該当する光を走査して静電潜像を形成する。露光器２３０としては，一般的にレーザーダイオードを光源として使用するＬＳＵ(Ｌａｓｅｒ  Ｓｃａｎｎｉｎｇ  Ｕｎｉｔ)が使われる。現像器２２０は，固体粉末状のトナーを収容しており，これらトナーを感光ドラム２１０に形成された静電潜像に供給してトナー画像を形成させる。転写ローラ２４０は，感光ドラム２１０と対面するように設置されて転写ニップを形成する。転写ローラ２４０には，感光ドラム２１０に形成されたトナー画像が転写ニップを通過する用紙Ｓに転写されるように転写バイアスが印加される。転写ローラ２４０の代りにコロナ放電器（図示せず）を使ってもよい。定着器２５０は，用紙Ｓに転写されたトナー画像に熱と圧力とを加えてトナー画像を用紙Ｓに定着させる。帯電器２６０は，感光ドラム２１０を均一な電位に帯電させる。クリーニングブレード２７０は，トナー画像が用紙Ｓに転写された後に感光ドラム２１０の外周に残留するトナーを除去する。
【００２５】
給紙カセット２８０は，用紙Ｓを積載する。ピックアップローラ２８１は，給紙カセット２８０から用紙Ｓを引き出す。用紙移送経路２９０は，ピックアップローラ２８１から転写ローラ２４０と感光ドラム２１０とが対面した転写ニップと定着器２５０とを経てハウジング１００に設けられた排出口１１０，排出口１２０まで下方に延びて形成される。用紙移送経路２９０には，用紙Ｓを移送させるためのフィードローラ２９１を始めとして，複数のガイドローラ(図示せず)が設けられる。
【００２６】
上記のような構成により，帯電器２６０によって均一な電位に帯電された感光ドラム２１０の外周面に露光器２３０からの画像情報に応じた光が走査されて静電潜像が形成される。この静電潜像に現像器２２０からトナーが供給されて，トナー画像が形成される。トナー画像の先端が，転写ニップに到達する時点に合わせて，ピックアップローラ２８１によって給紙カセット２８０から引き出された用紙Ｓが用紙移送経路２９０に沿って転写ニップに到達する。転写ローラ２４０に印加された転写バイアスによってトナー画像は用紙Ｓに転写され，この用紙Ｓが定着器２５０を通過することによって画像の印刷が完了する。用紙Ｓは，排出口１１０または排出口１２０を通じてハウジングの外部に排出される。排出口１１０，排出口１２０には，用紙Ｓを排出するためのローラ(図示せず)をさらに設けてもよい。
【００２７】
本実施形態の電子写真方式の画像形成装置は，感光ドラム２１０を基準としてピックアップローラ２８１，用紙移送経路２９０，現像器２２０，露光器２３０の配置位置を調整し，その設置面積が最小化できるようにしたことを特徴とする。電子写真方式の画像形成装置の深さ方向の長さは，使われる用紙Ｓの幅により決定される因子である。また，鉛直方向の長さＨ１は，設置面積に影響を与えない。したがって，設置面積を減らすためには水平方向の長さＷ１を減らすことが望ましい。
【００２８】
図２を参照すれば，感光ドラム２１０の上方に現像器２２０が設置され，現像器２２０の左右，すなわち，ハウジング１００の背面１０３方向に用紙移送経路２９０と前面１０１方向に露光器２３０とがそれぞれ設置される。露光器２３０は，図２に示されたように鉛直上方向に設置されることが望ましい。また，ピックアップローラ２８１は感光ドラム２１０の上方に設置され，その設置位置は，感光ドラム２１０の中心を基準として鉛直上方向に対して±４５゜範囲内に設置されることが望ましく，±３０゜範囲内に設置されることがさらに望ましい。その理由は，ピックアップローラ２８１が±４５゜範囲外に設置されれば，横方向に傾いて横方向の長さＷ１を減らすのに不利であるためである。給紙カセット２８０は，図２に示されたように鉛直上方向に設置されることが望ましい。
【００２９】
現像器２２０は，トナー収容容積を最大化しながら電子写真方式の画像形成装置の設置面積を減らせる形態を有することが望ましい。図３を参照すれば，現像器２２０は，トナーが収容されたトナー収容部２２１と，このトナー収容部２２１の先端部に設置された現像ローラ２２２とを含む。現像ローラ２２２は，静電潜像を現像させるためにトナー収容部２２１に収容されたトナーを感光ドラム２１０に供給する。現像ローラ２２２は，感光ドラム２１０の中心を基準として鉛直上方向に対して±４５゜範囲内に設置される。その理由は，ピックアップローラ２８１の場合と同様である。トナー収容部２２１は，現像ローラ２２２が位置された先端部から上方に延びて形成され，その鉛直方向の長さＨ２が水平方向の長さＷ２より大きいことが望ましい。つまり，トナー収容部は，先端から鉛直上方向に対して±４５゜範囲以内に形成されること，また，トナーが先端から鉛直上方向に対して±４５゜範囲以内に形成されることが望ましい。
【００３０】
上記のような構成によれば，電子写真方式の画像形成装置の水平方向の長さＷ１が減らせるので設置面積を減らすことができる。図１に示された従来の電子写真方式の画像形成装置の場合には，トナー収容部６が横方向に延びており，現像ローラ７から遠い位置１０にあるトナーは現像ローラ７によく移送できない問題点がある。ところが，本実施形態に係る電子写真方式の画像形成装置によれば，トナー収容部２２１が鉛直方向に延びていて，その内部に収容されたトナーは，重力によって自然に現像ローラ２２２方向に移送される。したがって，トナー収容部２２１に収容されたトナーを最大限現像作業に活用できる長所がある。また，図２および図３に示されたように，トナー収容部２２１内にアジテーター２２３を設置すれば，トナーをもっと容易に現像ローラ２２２方向に移送することができる。アジテーター２２３は，二つまたはそれ以上が設置されることも可能である。アジテーター２２３はできるだけ現像ローラ２２２から遠い位置に設置されることが望ましい。また，用紙移送経路２９０が，上方から下方にほぼ直線状に形成されるので用紙ジャムの発生も減らすことができる。
【００３１】
図４を参照すれば，ハウジング１００の前面１０１に現像器２２０を交換するためのドア１３０が設置される。ドア１３０は，ヒンジ１３１を中心として回動可能に設置される。この時，露光器２３０はドア１３０に設置されてドア１３０と共に回動することが望ましい。このような構成によれば，電子写真方式の画像形成装置の前方から容易に現像器２３０を交換できる。
【００３２】
図５は，本発明に係る電子写真方式の画像形成装置の第２実施形態を示した側断面図である。実質的に同じ機能を有する構成要素は，同じ参照符号で示して重複される説明は省略する。図５を参照すれば，トナー収容部２２１が鉛直上方向に傾いている。この時，その傾斜角度Ａ１は，鉛直上方向に対して±４５゜範囲内であることが望ましい。その理由は，ピックアップローラ２８１と現像ローラ２２２との設置位置に対して説明したように±４５゜範囲外の傾斜角度を有すれば横方向に傾いて水平方向の長さＷ１を減らすのに不利であるためである。また，トナー収容部２２１が±４５゜範囲外の傾斜角度を有すれば，その内部に収容されたトナーを現像ローラ２２２に移送させるのに不利である。言い換えると，トナーの重力の鉛直方向の分力よりトナーの重力の水平方向の分力がさらに大きくなってトナーの重力による移動性が小さくなる。
【００３３】
図２〜図５を参照すれば，ハウジング１００は，前面１０１を含む側面が下面１０２と９０゜角度で上方に延びている。ところが，これによって本発明の範囲が限定されるものではない。示されてはいないが，側面は下面１０２に対して所定の傾斜角度(９０゜以外の角度)で傾斜するように上方に延長できる。また，感光ドラム２１０は，その中心が側面に平行した線上に位置され，現像器２２０は，側面に平行した線と平行した方向にトナーを供給して静電潜像を現像するように配置される。この場合においても，図２〜図５で説明したように，ピックアップローラ２８１は，感光ドラム２１０の中心を基準として鉛直上方向に対して±４５゜範囲内に設置され，現像ローラ２２２は感光ドラム２１０の中心を基準として鉛直上方向に対して±４５゜範囲内に設置され，トナー収容部２２１の傾斜角度Ａ１は，鉛直上方向に対して±４５゜範囲以内であることが望ましい。側面の下面１０２に対する傾斜角度もこのような制限を充足させる範囲内で選択されることが望ましい。
【００３４】
図６および図７は，本発明に係る電子写真方式の画像形成装置の第３実施形態および第４実施形態を示した斜視図である。図６を参照すれば，本発明の実施形態に係る電子写真方式の画像形成装置は，印刷ユニット２００が収容されたハウジング１００を支持する支持台３００をさらに備える。支持台３００は，ハウジング１００の左右側面１０４，１０５を支持してハウジング１００の下面１０２が電子写真方式の画像形成装置が設置されるテーブル(設置面)Ｔから離隔させる。このような構成によれば，ハウジング１００の前面１０１または下面１０２に設けられた排出口１１０，排出口１２０を通じて排出される用紙Ｓが自然にテーブルＴに積載できる積載空間を確保することができる。
【００３５】
図７に示されたように，ハウジング１００は，支持台３００に対して傾斜角度Ｅを有するように設置されてもよい。また，ハウジング１００を任意の角度に傾くように支持台３００とハウジング１００とが回動可能なヒンジ３０１により結合されてもよい。このような構成によれば，ハウジング１００の下面１０２に設けられた排出口１２０を通じて排出される用紙ＳとテーブルＴとがなす角度Ｆが小さくなって用紙Ｓの排出作業が円滑に行われる。
【００３６】
支持台３００は，ハウジング１００の下面１０２をテーブル面Ｔと離隔させて用紙を自然に排出させることにその目的があり，図６および図７に示された形態に限定されるものではない。例えば，図８に示されたように壁体Ｗに固定される形態の支持台３００ａも可能である。本発明に係る電子写真方式の画像形成装置の第５実施形態においても，図７に示された実施形態と同様にハウジング１００は，支持台３００ａに対して傾斜角度を有するように設置されることができ，ハウジング１００を任意の角度に傾くように支持台３００ａとハウジング１００が回動可能なヒンジ３０１によって結合されてもよい。よって，本実施形態よれば，支持台を備えることによって印刷済みの用紙を自然に排出させて積載することができる。
【００３７】
本発明の実施形態によれば，電子写真方式の画像形成装置の設置面積が小さくなって事務空間を効率的に利用できる。
【００３８】
本発明の実施形態によれば，トナー収容部内部のトナーが重力によって自然に現像ローラに移送されるのでトナー利用効率を向上させ、現像器の寿命延長効果も得ることができる。また，トナーが安定的に現像ローラに供給されるので安定した画像品質を得ることができる。
【００３９】
本発明の実施形態によれば，現像器内のトナーをほぼ完全に消耗させるので親環境的な製品の具現が可能である。
【００４０】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【００４１】
本発明によれば，ピックアップローラ，現像ローラ，感光ドラム，露光器などの構成要素の配置位置を適切に調節することによって電子写真方式の画像形成装置の設置面積を減らし，トナー利用効率を向上させる一方，トナー収容部から現像ローラへの安定したトナーの供給を可能にする。
【図面の簡単な説明】
【００４２】
【図１】従来の電子写真方式の画像形成装置を簡略に示した構成図である。
【図２】本発明に係る電子写真方式の画像形成装置の第１実施形態を示した側断面図である。
【図３】図２に示された現像器を詳細に示した断面図である。
【図４】図２に示された本発明に係る電子写真方式の画像形成装置の第１実施形態のドアが開いた状態を示した断面図である。
【図５】本発明に係る電子写真方式の画像形成装置の第２実施形態を示した側断面図である。
【図６】支持台を備えた本発明に係る電子写真方式の画像形成装置の第３実施形態を示した斜視図である。
【図７】支持台を備えた本発明に係る電子写真方式の画像形成装置の第４実施形態を示した斜視図である。
【図８】支持台を備えた本発明に係る電子写真方式の画像形成装置の第５実施形態を示した斜視図である。
【符号の説明】
【００４３】
１００      装置
１０２      部品
１００      ハウジング
１１０，１２０      排出口
１３０      ドア
１３１，３０１      ヒンジ
１４０      供給口
２００      印刷ユニット
２１０      感光ドラム
２２０      現像器
２２１      トナー収容部
２２２      現像ローラ
２２３      アジテーター
２３０      露光器
２４０      転写ローラ
２５０      定着器
２６０      帯電器
２７０      クリーニングブレード
２８０      給紙カセット
２８１      ピックアップローラ
２９０      用紙移送経路
２９１      フィードローラ
３００，３００ａ      支持台
【図１】
2005148718.tif 000003
【図２】
2005148718.tif 000004
【図３】
2005148718.tif 000005
【図４】
2005148718.tif 000006
【図５】
2005148718.tif 000007
【図６】
2005148718.tif 000008
【図７】
2005148718.tif 000009
【図８】
2005148718.tif 000010